(57)【要約】【課題】容器の密閉時にシール部材が容器の内側へ飛び出すことのない気密性の高い容器を提案する。【解決手段】内容物の充填、取り出し開口を有する容器本体１と、この容器本体１の開口Ｋに着脱自在に合わさって該容器本体１を密閉する蓋体２とからなり、容器本体１の周壁突端1b及び蓋体２の裏側面の相互間にて挟持され容器本体１内を気密状態に維持するシール部材３を備えた気密容器において、前記シール部材３を、容器本体1の周壁突端1bに沿って設けられたエラストマーにて構成する。そしてエラストマーに、容器本体１の周壁突端1bにおける基端Ｐから先端Ｐ′に向けて漸次に内径ｄを拡大させる傾斜面４を設ける。【選択図】図１
2006273383.tif 000002
【特許請求の範囲】
【請求項１】
内容物の充填、取り出し開口を有する容器本体と、この容器本体の開口に着脱自在に合わさって該容器本体を密閉する蓋体とからなり、容器本体の周壁突端及び蓋体の裏側面の相互間にて挟持され容器本体内を気密状態に維持するシール部材を備えた気密容器であって、
前記シール部材は、容器本体の周壁突端に沿って設けられたエラストマーからなり、
該エラストマーは、容器本体の周壁突端における基端から先端に向けて漸次に内径を拡大させる傾斜面を有することを特徴とする気密容器。
【請求項２】
前記エラストマーは、インサート成形によって形成されたものである、請求項１記載の気密容器。
【請求項３】
前記容器本体の周壁突端に、エラストマーとの結合力を高める少なくとも１つの凹部又は貫通孔を有する請求項１又は２記載の気密容器。
【発明の詳細な説明】
【技術分野】
【０００１】
本発明は、気密容器に関するものであり、蓋体と容器本体との相互間におけるシールを確実にするとともに、シール部材の飛び出しによる内容物への接触を回避しようとするものである。
【背景技術】
【０００２】
外部からの水の侵入や内容物に含まれる揮発成分の揮散を防止して内容物の品質を維持するため、従来は容器本体と蓋体との合わせ面にパッキンの如きシール部材を配置して容器の気密性を高めるようにしていた。
【０００３】
従来使用されているシール部材は、蓋体の裏面に配設された板状パッキンを容器の口部にあてがうタイプのものや容器の口部のみに接触させるタイプのもの等、これまでに様々なタイプのものが提案されている（例えば特許文献１参照）。
【特許文献１】特開平10−147359号公報
【０００４】
ところで、従来の気密容器にあっては、容器を密封すべく蓋体を閉めたとき蓋体と容器の口部の相互間で挟持されるシール部材が容器の内側へ向けて突出しその突出部分が内容物（例えばパック等のシート材）に接触して該内容物を押し潰したり捩じり与えてしまう不具合がありその解決が望まれていた。
【発明の開示】
【発明が解決しようとする課題】
【０００５】
本発明の課題は、容器内の内容物の収納形態に影響を与えることなしに高い気密性を維持できる新規な容器を提案するところにある。
【課題を解決するための手段】
【０００６】
本発明は、内容物の充填、取り出し開口を有する容器本体と、この容器本体の開口に着脱自在に合わさって該容器本体を密閉する蓋体とからなり、容器本体の周壁突端及び蓋体の裏側面の相互間にて挟持され容器本体内を気密状態に維持するシール部材を備えた気密容器であって、
前記シール部材は、容器本体の周壁突端に沿って設けられたエラストマーからなり、
該エラストマーは、容器本体の周壁突端における基端から先端に向けて漸次に内径を拡大させる傾斜面を有することを特徴とする気密容器である。
【０００７】
上記の構成になる気密容器において、前記エラストマーは、インサート成形によって形成されたものを用いるのが好ましい。
【０００８】
また、前記容器本体の周壁突端には、エラストマーとの結合力を高める少なくとも１つの凹部又は貫通孔を設けるのが望ましい。
【発明の効果】
【０００９】
蓋体と容器本体の周壁突端との相互間に配置するエラストマーに、その内径を容器本体の周壁突端における基端から先端に向けて漸次に拡大させる傾斜面を設けたので、蓋体を閉めた状態にあっても該エラストマーが容器の内側へと飛び出すことがない。
【発明を実施するための最良の形態】
【００１０】
以下、図面を用いて本発明をより具体的に説明する。
図１(a)(b)は本発明にしたがう気密容器の平面（蓋体を取り外した状態）及び側面を示したものであり、図２は図１の要部を拡大して示した図である。
【００１１】
図における１は内容物を充填、取り出しする開口Ｋを有する広口の容器本体である。容器本体1は椀型形状をなしており、その内側にシート状の内容物を起立させておく略扇形状の仕切り板1ａを側面から底面にかけて立設するように一体に有している。この仕切り板1aは容器本体１の周方向に沿い等間隔に設けられており、本実施例では、18°の間隔で20枚配置され、該仕切り板1aの先端部には指が挿入できる開口が形成されている（図１(a)参照）。
【００１２】
また、２は容器本体1の口部（開口Ｋ）に着脱自在に合わさって該容器本体1を密閉するねじ込みタイプの蓋体、３は容器本体１の周壁突端1bに一体的に設けられたシール部材である。
【００１３】
シール部材３は高い気密性を維持するのに有利なエラストマーを適用することができ、容器本体１の周壁突端1bにおける基端Ｐからその先端Ｐ′に向けて漸次に内径ｄを拡大させる傾斜面４が形成されている（d１＜d２）。
【００１４】
また、５は容器本体１の周壁突端1bでその周りに沿う複数箇所に設けられた凹部である。この凹部５はシール部材３との接触面積の拡大を図るもので、これによりシール部材３の周壁突端1bに対する保持強度を高める。
【００１５】
上記の構成になる容器は、シール部材３にその内側から外側に向けて倒れ込む傾斜面４が形成されているため蓋体２の裏面と容器本体１の周壁突端1bとの相互間にて挟持されても、該シール部材３が容器の内側へ向けて飛び出すことはなく、したがって内容物の収納形態に影響を与えることはない。
【００１６】
シール部材３は、インサート成形によって形成することができるもので、容器のサイズに係わりなく安定したシール性の確保が可能となる。
【００１７】
シール部材３の傾斜面４は、図３(a)(b)に示すように凹状あるいは凸状に湾曲した傾斜であってもよく、蓋体２を閉め込んだときにシール部材３が飛び出すことのない形状が任意に選択できる。
【００１８】
また、シール部材３と周壁突端1bとは、前掲の凹部を形成して結合する形態に限るものではなく、貫通孔を形成してシール部材を結合させてもよいし、あるいは凹部や貫通孔を形成せずに融着にて結合させたり、接着剤を介して結合させることが可能で、その方法は適宜選択される。
【産業上の利用可能性】
【００１９】
容器を密閉したときにシール部材が容器の内側に飛び出すことがない気密性の高い容器が提供できる。
【図面の簡単な説明】
【００２０】
【図１】本発明にしたがう気密容器の実施の形態を示した図であり(a)は平面図、(b)は側面図である。
【図２】図１の要部を拡大して示した図である。
【図３】(a)(b)は本発明にしたがう気密容器の要部を拡大して示した図である。
【符号の説明】
【００２１】
１  容器本体
1a  仕切り板
1b  周壁突端
２  蓋体
３  シール部材
４  傾斜面
５  凹部
Ｋ  開口
Ｐ  基端
Ｐ′先端
【図１】
2006273383.tif 000003
【図２】
2006273383.tif 000004
【図３】
2006273383.tif 000005